(57)【要約】【課題】回路規模を大きくすることなく著作権保護を行い、不正な光ディスクを使用不可にする優れた光ディスク装置を提供する。【解決手段】光ピックアップ１０１より読み取られた光ディスク情報からディスク管理情報を読み出し、著作権保護判別手段１０５により著作権保護されているかどうかを判別し、著作権保護されているか否かでレーザパワー制御手段１０６によりレーザビームの強度を制御することにより、追記又は書き込み可能な不正ディスクのデータを破壊し、回路規模を大きくすることなく著作権保護を行い、不正な光ディスクを使用不可にする。【選択図】        図１
2004185663.tif 000002
【特許請求の範囲】
【請求項１】
光ディスクからの情報を読み取る光ピックアップと、
前記光ピックアップより読み取られた光ディスクの情報からディスク管理情報を復調する復調手段と、
前記復調手段より復調されたディスク管理情報に基づいて著作権保護されているか否かを判別する著作権保護判別手段と、
前記著作権保護判別手段からの判別信号に基づいて前記光ディスクに照射するレーザビームの強度を制御するレーザパワー制御手段とを、
備え、
前記レーザパワー制御手段は、前記光ピックアップが前記著作権保護判別手段で著作権保護されている光ディスクと認識されたディスクに対して所定強度のレーザビームを照射して再生動作をするよう構成された光ディスク装置。
【請求項２】
前記レーザパワー制御手段により、前記光ピックアップが前記著作権保護判別手段で著作権保護されている光ディスクと識別されたディスクに対して所定強度のレーザビームを照射して再生動作をする領域は、ディスク管理情報の記録された領域とする請求項１に記載の光ディスク装置。
【発明の詳細な説明】
【０００１】
【発明の属する技術分野】
本発明は、著作権保護を行い、不正な光ディスクを使用不可にするための光ディスク装置に関する。
【０００２】
【従来の技術】
図３は、従来の光ディスク装置の構成を示すブロック図である（例えば特許文献１参照）。図３に示す光ディスク装置は、光ピックアップ２０１により光ディスクのディスク管理情報が読み出され、読み出された管理情報は増幅器２０２によって増幅された後、復調回路２０４により復調される。復調回路２０４で復調された信号より保護情報判定手段２０６で著作権保護がなされているか否かが判別される。
【０００３】
また、光ピックアップ２０１から読み出された広帯域トラックエラー信号が増幅器２０２によって増幅され、広帯域トラックエラー信号中のウォブル信号の有無をウォブル検出手段２０３で判別し、ウォブル信号の有無によって再生専用光ディスクか、記録可能光ディスクかのディスク判別がディスク判別手段２０５によってなされる。そして、著作権保護がなされており、記録可能光ディスクと判別された光ディスクに対して再生禁止手段２０７により再生信号の出力を禁止するようになっている。再生専用光ディスクと判別された場合には光ディスクに記録された主データが出力手段２０８を介して再生される。
【０００４】
【特許文献１】
特開２０００−１４９４１５号公報（第８−９頁、図１）
【０００５】
【発明が解決しようとする課題】
しかしながら、上述した従来の光ディスク装置においては、再生専用光ディスクか、記録可能光ディスクかのディスク判別を行うのに、ウォブル検出手段２０３を必要とするのでコストがかかっていた。また、不正にコピーされた光ディスクが従来の光ディスク装置で再生禁止されたとしても、上記光ディスクが不正にコピーされた光ディスクに対して再生禁止手段を持たない光ディスク再生装置では使用可能であるという問題を有していた。
【０００６】
本発明は、上記従来の問題を解決するもので、回路規模を大きくすることなく著作権保護を行い、不正な光ディスクの使用を不可能にする優れた光ディスク装置を提供することを目的とする。
【０００７】
【課題を解決するための手段】
上記問題を解決するために本発明に係る光ディスク装置は、光ディスクからの情報を読み取る光ピックアップと、
前記光ピックアップより読み取られた光ディスクの情報からディスク管理情報を復調する復調手段と、
前記復調手段より復調されたディスク管理情報に基づいて著作権保護されているか否かを判別する著作権保護判別手段と、
前記著作権保護判別手段からの判別信号に基づいて前記光ディスクに照射するレーザビームの強度を制御するレーザパワー制御手段とを、
備え、
前記レーザパワー制御手段は、前記光ピックアップが前記著作権保護判別手段で著作権保護されている光ディスクと認識されたディスクに対して所定強度のレーザビームを照射して再生動作をするものである。この構成により、光ディスクが正しく著作権保護のなされた再生専用ディスクである場合は情報が破壊されなく、不正な光ディスクの使用を不可能にして、著作権保護が行われる。
【０００８】
また、前記レーザパワー制御手段により、前記光ピックアップが前記著作権保護判別手段で著作権保護されている光ディスクと識別されたディスクに対して所定強度のレーザビームを照射して再生動作をする領域は、ディスク管理情報の記録された領域とする。この構成により、書き込み可能な不正光ディスクを使用不可にすることができる。
【０００９】
【発明の実施の形態】
以下、本発明の実施の形態について図面を参照して説明する。
＜第１の実施の形態＞
図１は、本発明の第１の実施の形態に係る光ディスク装置の構成を示すブロック図である。図１に示す光ディスク装置は、判別対象の光ディスク１０２の情報の読み取りを行う光ピックアップ１０１、光ピックアップ１０１から読み取られた信号を増幅する増幅器１０３、増幅器１０３からの信号を復調する復調回路１０４、復調されたデータから著作権保護がされているか否かを判別し判別信号を出力する著作権保護判別手段１０５、著作権保護判別手段１０５からの判別信号に基づいてレーザビームの強度を制御するレーザパワー制御手段１０６、光ディスク１０２上の任意の位置へ光ピックアップ１０１を移動させるトラバース制御手段１０７、著作権保護判別手段１０５からの判別信号に基づいて復調回路１０４からの出力を禁止する再生禁止手段１０８から構成されており、図３に示す従来例のウォブル検出手段２０３が本発明の第１の実施の形態にはない。
【００１０】
以上のように構成された光ディスク装置について、図１と図２を参照しつつ光ディスク１０２が複製可能な光ディスクであるＤＶＤ−Ｒを再生する場合を例に挙げてその動作を説明する。まず、光ピックアップ１０１は光ディスク１０２の情報の読み取りを行う。読み取られた信号は増幅器１０３によって増幅され、復調回路１０４によって著作権保護に関する鍵情報を含むディスク管理情報が復調される。ここで、光ディスク１０２は、図２に示す追記又は書き込み可能なＤＶＤ−Ｒディスク３０１であり、復調されるデータは、ＤＶＤ−Ｒディスク３０１のＬｅａｄ−ｉｎ（リードイン）３０２の部分とする。復調されたＬｅａｄ−ｉｎ３０２の情報から著作権保護がなされているか否かを示す鍵情報３０３が存在するか否かを著作権保護判別手段１０５によって判別し判別信号を出力する。
【００１１】
著作権保護判別手段１０５によって出力された判別信号が、著作権保護がなされていることを示している場合、トラバース制御手段１０７は、ＤＶＤ−Ｒディスク３０１の主データ３０４の任意の位置へ移動する。移動後、レーザパワー制御手段１０６により、所定のパワーでレーザビームを照射する。レーザパワー制御手段１０６により所定のパワーでレーザビームを照射した後、再度主データ３０４上のレーザビームを照射した位置へトラバース制御手段１０７により光ピックアップ１０１を移動させ、主データ３０４の情報の読み取りを再度行い、著作権保護判別手段１０５によってレーザビームを照射した後のデータがレーザビームを照射する前に読み取られたデータと等しいかを確認することで、不正にコピーされたＤＶＤ−Ｒディスクか否かを判別する。所定強度の強いレーザビームを照射することで、不正にコピーされたディスクであれば再生動作をしようとしたとき、データが消去されたり、破壊されているため、レーザビーム照射前後で、異なったデータとなる、あるいは再生ができないことから、不正の有無を検出することができる。なお、正しく著作権保護のなされた再生専用ディスクである場合には、主データ３０４の情報は破壊されない。
【００１２】
ここで、レーザパワー制御手段１０６の出力する所定のレーザパワーは書き込み可能なＤＶＤディスクの消去パワーである３ｍＷ〜６ｍＷである。なお、光ピックアップ１０１に搭載されているレーザの出力限界が許す限り６ｍＷ以上のレーザパワーを出力してもよい。
【００１３】
したがって、第１の実施の形態によれば、著作権保護判別手段１０５で出力された判別信号によりレーザビームの強度を制御するレーザパワー制御手段１０６を備え、著作権保護判別手段１０５で著作権保護されている光ディスクと認識されたディスクに対して、所定強度のレーザビームで再生することで、正しく著作権保護のなされた再生専用ディスクか、書き込み可能な不正光ディスクかを判別でき、回路規模を大きくすることなく著作権保護を行うことができる。なお、第１の実施の形態において、所定強度のレーザビームを照射する箇所を主データ３０４の領域としたが、それ以外であってもよい。
【００１４】
＜第２の実施の形態＞
次に、本発明の第２の実施の形態に係る光ディスク装置について、図１と図２とを参照しつつ、複製可能な光ディスクであるＤＶＤ−Ｒを再生する場合を例に挙げて、その動作を説明する。この第２の実施の形態に係る光ディスク装置においても、図１に示す第１の実施の形態と同様な構成を備えて、書き込み可能な不正光ディスクを使用不可にすることができる。
【００１５】
すなわち、光ピックアップ１０１、増幅器１０３、復調回路１０４によって復調されたＬｅａｄ−ｉｎ３０２の情報から、著作権保護判別手段１０５により、著作権保護がなされているか否かを示すＤＶＤ−Ｒディスク３０１の鍵情報３０３が存在するか否かの判別を行い、著作権保護がなされていることを示している場合、トラバース制御手段１０７によりＤＶＤ−Ｒディスク３０１のＬｅａｄ−ｉｎ３０２へ移動する。移動後、レーザパワー制御手段１０６により、Ｌｅａｄ−ｉｎ３０２の部分へ所定のパワーでレーザビームを照射する。所定のレーザパワーの影響によりＬｅａｄ−ｉｎ３０２が破壊されている場合には、再生動作（処理）をしようとした場合でもＤＶＤ−Ｒディスク３０１は再生不可となる。なお、正しく著作権保護のなされた再生専用ディスクである場合には、ディスク管理情報は破壊されない。
【００１６】
ここで、レーザパワー制御手段１０６の出力する所定のレーザパワーは、書き込み可能なＤＶＤディスクの消去パワーである３ｍＷ〜６ｍＷである。なお、光ピックアップ１０１に搭載されているレーザの出力限界が許す限り６ｍＷ以上のレーザパワーを出力してもよい。
【００１７】
したがって、第２の実施の形態によれば、書き込み可能な不正光ディスクのディスク管理情報を破壊することで不正な光ディスクを使用不可にすることができ、著作権の保護に有効なものとなる。
【００１８】
【発明の効果】
以上のように、本発明によれば、著作権保護判別手段で出力された判別信号によりレーザビームの強度を制御するレーザパワー制御手段を備え、著作権保護判別手段で著作権保護されている光ディスクと認識されたディスクに対して、所定強度のレーザパワーで再生することで、正しく著作権保護のなされた再生専用ディスクか、書き込み可能な不正光ディスクかを判別でき、回路規模を大きくすることなく著作権保護を行うことができる。
【００１９】
また、書き込み可能な不正光ディスクのディスク管理情報を破壊することで、不正な光ディスクを使用不可にすることができ、著作権の保護に有効である。
【図面の簡単な説明】
【図１】本発明の第１と第２の実施の形態における光ディスク装置の構成を示すブロック図
【図２】公知ＤＶＤ−Ｒディスクの説明図
【図３】従来の光ディスク装置の構成を示すブロック図
【符号の説明】
１０１  光ピックアップ
１０２  光ディスク
１０３  増幅器
１０４  復調回路
１０５  著作権保護判別手段
１０６  レーザパワー制御手段
１０７  トラバース制御手段
１０８  再生禁止手段
【図１】
2004185663.tif 000003
【図２】
2004185663.tif 000004
【図３】
2004185663.tif 000005